(57)【要約】      （修正有）【課題】ゴルフボールがグリーンの表面に沿って進む距離及び経路に対するゴルファのコントロールを、より正確に行うことができるパターヘッドを提供する。【解決手段】パターヘッドは、パターフェイスを含み、パターフェイスは、パターフェイスのヒールからトウ方向に伸びる溝パターンを規定する。溝パターンは、パターフェイスの垂直方向に向けて互いに隔てられた多数の組の溝を含む。組みの溝は、パターフェイスへの垂直方向に沿ったゴルフボールの打撃位置に基づいてゴルフボールの発進角度を調節する異なる断面形態を有する。【選択図】図４
2017080378.tif 000002
【特許請求の範囲】
【請求項１】
パターフェイスを備え、該パターフェイスは、
パターヘッドのヒールからトウ方向に伸びる１つ又はより多くの垂直方向に隣接する溝を含み、該溝の各々が、非対称の断面形態を有する、第一の組の溝と、
パターフェイスの垂直方向に第一の組の溝から隔てて配置された第二の組の溝であって、パターヘッドのヒールからトウ方向に伸びる１つ又はより多くの垂直方向に隣接する溝を含み、該溝の各々が、前記第一の組の溝の１つ又はより多くの溝と異なる断面形態を有する、前記第二の組の溝と、を規定するパターヘッド。
【請求項２】
請求項１に記載のパターヘッドにおいて、
前記第一の組の溝は、前記パターフェイスの下方領域内に配置される、パターヘッド。
【請求項３】
請求項１に記載のパターヘッドにおいて、
前記第一の組の溝の各溝は、前記パターヘッド内に上方に伸び、かつパターヘッド内に上方に伸びる下方壁面により部分的に規定される、パターヘッド。
【請求項４】
請求項１に記載のパターヘッドにおいて、
前記第一の組の溝は、パターフェイスと面一である中間面により互いから分離されたに多数の垂直方向に隣接する溝を含む、パターヘッド。
【請求項５】
請求項１に記載のパターヘッドにおいて、
前記第一の組の溝の各溝は、上方端縁及び下方端縁を含み、
該上方端縁は、該下方端縁に比してより鋭い角度により規定される、パターヘッド。
【請求項６】
請求項５に記載のパターヘッドにおいて、
前記上方端縁は、実質的に直角の角度により形成され、
前記下方端縁は、実質的に鈍角な角度により形成される、パターヘッド。
【請求項７】
請求項１に記載のパターヘッドにおいて、
前記第一の組の溝の各溝は、上方壁面及び下方壁面により規定され、
該下方壁面は、パターフェイスに対する第一の角度にてパターヘッド内に上方に伸び、
前記上方壁面は、第一の角度よりも大きいパターフェイスに対する第二の角度にてパターヘッド内に内方に伸びる、パターヘッド。
【請求項８】
請求項７に記載のパターヘッドにおいて、
前記第一の角度は、約２０°であり、
前記第二の角度は、約８０°である、パターヘッド。
【請求項９】
請求項７に記載のパターヘッドにおいて、
前記上方及び下方壁面は、それぞれの溝の底部にて交差する、パターヘッド。
【請求項１０】
請求項７に記載のパターヘッドにおいて、
前記上方壁面は、第二の角度にて前記パターヘッド内に下方に伸びる、パターヘッド。
【請求項１１】
請求項１に記載のパターヘッドにおいて、
第一の組の溝は、パターフェイスの上方領域内に配置される、パターヘッド。
【請求項１２】
請求項１に記載のパターヘッドにおいて、
第一の組の溝の各溝は、前記パターヘッド内に下方に伸び、かつ前記パターヘッド内に下方に伸びる上方壁面により部分的に規定される、パターヘッド。
【請求項１３】
請求項１に記載のパターヘッドにおいて、
前記第一の組の溝の各溝は、上方端縁及び下方端縁を含み、
該下方端縁は、該上方端縁に比してより鋭い角度により規定される、パターヘッド。
【請求項１４】
請求項１３に記載のパターヘッドにおいて、
前記上方端縁は、実質的に鈍角な角度により形成され、
前記下方端縁は、実質的に直角の角度により形成される、パターヘッド。
【請求項１５】
請求項１に記載のパターヘッドにおいて、
前記第一の組の溝の各溝は、上方壁面及び下方壁面により規定され、
該上方壁面は、パターフェイスに対する第一の角度にてパターヘッド内に下方に伸び、
前記下方壁面は、第一の角度よりも大きいパターフェイスに対する第二の角度にてパターヘッド内に内方に伸びる、パターヘッド。
【請求項１６】
請求項１５に記載のパターヘッドにおいて、
前記第一の角度は、約２０°であり、
前記第二の角度は、約８０°である、パターヘッド。
【請求項１７】
請求項１５に記載のパターヘッドにおいて、
前記上方及び下方壁面は、それぞれの溝の底部にて交差する、パターヘッド。
【請求項１８】
請求項１５に記載のパターヘッドにおいて、
前記下方壁面は、第二の角度にて前記パターヘッド内に上方に伸びる、パターヘッド。
【請求項１９】
請求項１に記載のパターヘッドにおいて、
前記第二の組の溝は、パターフェイスの中間領域内に配置される、パターヘッド。
【請求項２０】
請求項１に記載のパターヘッドにおいて、
前記第二の組の溝の各溝は、対称の断面形態を有する、パターヘッド。
【請求項２１】
請求項２０に記載のパターヘッドにおいて、
前記第二の組の溝の各溝は、実質的に四角形の断面形態を有する、パターヘッド。
【請求項２２】
請求項１に記載のパターヘッドにおいて、
前記第二の組の溝の各溝は、上方端縁及び下方端縁を含み、
該上方端縁及び下方端縁は、実質的に同一の角度により規定される、パターヘッド。
【請求項２３】
請求項２２に記載のパターヘッドにおいて、
前記上方端縁は、実質的に直角の角度により形成され、
前記下方端縁は、実質的に直角の角度により形成される、パターヘッド。
【請求項２４】
請求項１に記載のパターヘッドにおいて、
前記第二の組の溝の各溝は上方壁面及び下方壁面により規定され、該上方壁面及び下方壁面は、パターヘッド内に内方に伸び、かつ溝の底部に配置された実質的に平坦な面により共に接続される、パターヘッド。
【請求項２５】
請求項１に記載のパターヘッドにおいて、
ヒールからトウ方向に伸びて、かつ垂直方向に向けて前記第一及び第二の組の溝から隔てられた第三の組の溝を更に備え、
該第三の組の溝の各溝は、非対称の断面形態を有する、パターヘッド。
【請求項２６】
請求項２５に記載のパターヘッドにおいて、
前記第二の組の溝の各溝は、対称の断面形態を有する、パターヘッド。
【請求項２７】
請求項２５に記載のパターヘッドにおいて、
前記第一及びの第三の組の溝は、ヒールからトウ方向に伸びて、かつ前記第二の組の溝を二等分する平面の周りにて対称である、パターヘッド。
【請求項２８】
請求項２５に記載のパターヘッドにおいて、
前記第一の組の溝は、パターフェイスの下方領域内に配置され、
前記第二の組の溝は、パターフェイスの中間領域内に配置され、
前記第三の組の溝は、パターフェイスの上方領域内に配置される、パターヘッド。
【請求項２９】
請求項２５に記載のパターヘッドにおいて、
前記第二の組の溝は、第一及び第三の組の溝の間にて垂直方向に配置される、パターヘッド。
【請求項３０】
請求項２９に記載のパターヘッドにおいて、
前記第一及び第三の組の溝の非対称の断面形態は、前記第二の組の溝の断面形態に徐々に遷移する、パターヘッド。
【請求項３１】
請求項２５に記載のパターヘッドにおいて、
前記第一、第二及び第三の組の溝は、互いに平行である、パターヘッド。
【請求項３２】
請求項２５に記載のパターヘッドにおいて、
前記第三の組の溝は、パターフェイスの上方領域内に配置される、パターヘッド。
【請求項３３】
請求項２５に記載のパターヘッドにおいて、
前記第三の組の溝の各溝は、前記パターヘッド内に下方に伸び、かつ前記パターヘッド内に下方に伸びる上方壁面により部分的に規定される、パターヘッド。
【請求項３４】
請求項２５に記載のパターヘッドにおいて、
前記第三の組の溝の隣接する溝は、パターフェイスと面一である中間面により互いから隔てられている、パターヘッド。
【請求項３５】
請求項２５に記載のパターヘッドにおいて、
第三の組の溝の各溝は、上方端縁及び下方端縁を含み、
該下方端縁は、上方端縁に比してより鋭い角度にて規定される、パターヘッド。
【請求項３６】
請求項３５に記載のパターヘッドにおいて、
前記上方端縁は、鈍角な角度により形成され、
前記下方端縁は、実質的に直角の角度により形成される、パターヘッド。
【請求項３７】
請求項２５に記載のパターヘッドにおいて、
前記第三の組の溝の各溝は、上方壁面及び下方壁面により規定され、
該上方壁面は、パターフェイスに対する第一の角度にてパターヘッド内に下方に伸び、
前記下方壁面は、第一の角度よりも大きいパターフェイスに対する第二の角度にてパターヘッド内に内方に伸びる、パターヘッド。
【請求項３８】
請求項３７に記載のパターヘッドにおいて、
前記第一の角度は、約２０°であり、
前記第二の角度は、約８０°である、パターヘッド。
【請求項３９】
請求項３７に記載のパターヘッドにおいて、
前記上方及び下方壁面は、溝の底部にて交差する、パターヘッド。
【請求項４０】
請求項３７に記載のパターヘッドにおいて、
前記下方壁面は、第二の角度にてパターヘッド内に上方に伸びる、パターヘッド。
【請求項４１】
請求項２５に記載のパターヘッドにおいて、
前記第一の組の溝及び第二の組の溝は、前記第二の組の溝内に徐々に遷移する、パターヘッド。
【発明の詳細な説明】
【技術分野】
【０００１】
[０００１]  本発明は、全体として、ゴルフクラブ、より特定的には、パターヘッドの溝パターンに関する。
【背景技術】
【０００２】
[０００２]  一般に、ゴルファがボールをパットするとき、ボールは、前方向に転がり始める前に、最初に地面に沿って滑る。この滑る量を最小にすれば、ボールに対するゴルファのコントロールの程度が増す。ボールが真の前方への転がり又は回転を実現する速さが早ければ早い程（ボールが滑らず又はパックスピンを保持することなく、前方への又はオーバースピンを実現すること）、ゴルフボールがグリーンの表面に沿って進む距離及び経路に対するゴルファのコントロールは、より正確に行うことができる。
【発明の概要】
【発明が解決しようとする課題】
【０００３】
[０００３]  ゴルファのスイングの最下方点にてゴルフボールをパターヘッドで打ったとき、全体として、パターフェイスの静止ロフトは、ボールに起因するグリーン表面の小さい凹みからボールを持ち上げ、ボールは、迅速に、グリーン表面に沿って前方へ転がる状態に達する。しかし、ゴルファは、典型的に、そのスイングが均一でなく、このことは、全体として、ゴルフボールがグリーン表面に沿って移動する距離及び経路に対するゴルファのコントロールの程度を低下させることになる。例えば、パターヘッドの上向き動作の間、ゴルフボールをパターにて打った場合、パターヘッドは、典型的に、ボールを地面から発進し、ボールは、グリーン表面に当たったとき、弾み且つ／又は滑り、これにより、パットの距離及び経路に対するゴルファのコントロールの程度は低下することになる。これと代替的に、パターヘッドの下向き動作の間に、ゴルフボールをパターヘッドで打った場合、パターヘッドは、典型的に、ボールを地面内に押し込み、ボールを弾ませ且つ／又は滑らせ、これによりパットの距離及び経路に対するゴルファのコントロールの程度を低下させることになる。少なくともこれらの理由のため、パターが特定のゴルファに合うようにすることは難しい。
【課題を解決するための手段】
【０００４】
[０００４]  本発明の実施の形態は、全体として、ゴルファのスイングの相違に関係なく、パットの正確さ及び均一さを改良するパターヘッドを提供するものである。該パターヘッドは、パターフェイスを含み、該パターフェイスは、該パターフェイスのヒールからトウ方向に向けて伸びる溝パターンを規定する。該溝パターンは、パターフェイスの垂直方向に向けて互いに隔てられた多数の組、領域又は帯域の溝を含む。組みの溝は、パターフェイスの垂直方向に沿ったゴルフボールの打撃位置に基づいて、ゴルフボールの発進角度を調節する断面形態を有する。
【０００５】
[０００５]  一部の実施の形態において、パターヘッドは、パターヘッドのヒールからトウ方向に伸びる第一の組の溝と、第二の組の溝とを規定するパターフェイスを含む。第二の組の溝は、パターフェイスの垂直方向に向けて第一の組の溝から離間して配置することができる。第一の及び第二の組の溝は、異なる断面形態を有するようにすることができる。パターヘッドは、ヒールからトウ方向に伸び、かつパターフェイスの垂直方向に向けて第一及び第二の組の溝から離間して配置された第三の組の溝を含むことができる。第一及び第三の組の溝の各々は、非対称の断面形態を有することができる一方、第二の組の溝の各溝は、対称の断面形態を有することができる。
【０００６】
[０００６]  本発明のこの概要は、理解を促進する助けとなるように記載したものであり、当業者は、本発明の各種の局面及び特徴の各々は、一部の場合、別個に使用し、又はその他の場合、本発明のその他の局面及び特徴と組み合わせて有利に使用することができることが理解されよう。従って、本発明は、実施の形態に関して説明するが、任意の実施の形態の個別の局面は、別個に、又は該実施形態又は任意のその他の実施の形態の局面及び特徴と組み合わせて権利請求することは可能であることを理解すべきである。
【０００７】
[０００７]  本開示は、本明細書において各種の詳細なレベルにて記載したものであり、権利を請求した主題事項の範囲に関して、この概要の要素、構成要素等を含み又は含まないことのいずれの点でも制限を課すことを意図するものではない。特定の場合、本発明の理解するために必要でない詳細、又はその他の細部を理解することを困難にする詳細は省略されている。権利請求の範囲に含めた主題事項は、本明細書にて示した特定の実施の形態又は構成を必ずしも限定するものではないことを理解すべきである。
【０００８】
[０００８]  本明細書に含めかつ本明細書の一部を構成する添付図面は、本発明の実施の形態を示すものであり、上記の全体的な説明及び以下に記載する詳細な説明と共に、これらの実施の形態の原理を説明する機能を果たすものである。
【図面の簡単な説明】
【０００９】
【図１】[０００９]  図１は、本発明の一部の実施の形態に従ったパターヘッドの正面等角図である。
【図２】[００１０]  本発明の一部の実施の形態に従った、図１のパターヘッドの側面である。
【図３】[００１１]  本発明の一部の実施の形態に従った、図１のパターヘッドの正面図である。
【図４】[００１２]  本発明の一部の実施の形態に従った、図３の線４−４に沿った図１のパターヘッドの断面図である。
【図５】[００１３]  本発明の一部の実施の形態に従った、図４の断面図にて示したパターフェイスの中間領域の拡大部分図である。
【図６】[００１４]  本発明の一部の実施の形態に従った、図４の断面図にて示したパターフェイスの下方領域の拡大部分図である。
【図７】[００１５]  本発明の一部の実施の形態に従った、図４の断面図にて示したパターフェイスの上方領域の拡大部分図である。
【図８】[００１６]  本発明の一部の実施の形態に従った、パターヘッドの等角図的な正面の分解図である。
【図９】[００１７]  本発明の一部の実施の形態に従って、パターフェイスの中間領域がゴルフボルフボールと接触した、図３の断面線４−４に沿った図１のパターヘッドの断面図である。
【図１０】[００１８]  本発明の一部の実施の形態に従って、パターフェイスの下方領域がゴルフボルフボールと接触した、図３の断面線４−４に沿った図１のパターヘッドの断面図である。
【図１１】[００１９]  本発明の一部の実施の形態に従って、パターフェイスの上方領域がゴルフボルフボールと接触した、図３の断面線４−４に沿った図１のパターヘッドの断面図である。
【図１２】[００２０]  本発明の一部の実施の形態に従って、図４に対して異なる溝の形態を含むパターヘッドの図である。
【図１３】[００２１]  本発明の一部の実施の形態に従って、図４及び図１２に対して異なる溝の形態を含むパターヘッドの図である。
【発明を実施するための形態】
【００１０】
[００２２]  本発明の実施の形態は、全体として、ゴルファのスイングの相違に関係なく、パットの正確さ及び均一さを改良し得るように、パターフェイスの異なる領域内に配置された溝を含む、パターヘッドを提供する。当該出願人は、パターフェイスと関係した切欠き、亀裂、凹部、へこみ部、樋状部又はその他の空所を広く含むよう、本明細書にて、「溝」という語句を使用する。好ましい実施の形態において、これらの溝は、互いに実質的に平行であり、かつパターフェイスの上にてヒールからトウの方向に向けて全体として水平に配置されている。
【００１１】
[００２３]  パターヘッドの一例としての実施の形態が図示されており、図１−１１に関してこの実施の形態について以下に説明する。これらの図面の各々にて、パターヘッドは、３つの溝領域を備える状態にて示されているが、パターヘッドは、２つ、３つ又はより多数の溝領域を含むようにしてもよい。これらの溝は、現在既知であるか又は将来、開発されるかどうかを問わずに、任意の型式のパターヘッド又はシャフトと共に使用可能である。
【００１２】
[００２４]  図１を参照すると、本発明の一部の実施の形態に従って形成されたパターヘッドの一例としての実施の形態の等角正面図が示されている。図１に示したパターヘッド１００は、上面１０２と、底面又はソール１０４と、ヒール１０６と、トウ１０８と、ホーゼル１１０とを含む。ゴルファがボルフボールにアドレスするとき、上面１０２は、全体として空の方向を向き、底面１０４は、全体として、地面の方を向いている。ゴルファがゴルフボールにアドレスするとき、ヒール１０６は、全体として、ゴルファの方を向いており、また、トウ１０８は、全体として、当然、ゴルファから離れる方向を向いている。ホーゼル１１０は、全体として、典型的に、ヒール１０６の基端側にて、上面１０２から上方に伸びており、シャフトが装着される、パターヘッド１００の部分である。それぞれの上面１０２、底面１０４、ヒール１０６、トウ１０８及びホーゼル１１０は、色々な形状及び寸法にて形成することができる。
【００１３】
[００２５]  図１を続けて参照すると、パターヘッド１００は、ゴルファがゴルフボールにアドレスするとき、全体として、ゴルフボールに向けられるフェイス１１２を含む。パターフェイス１１２は、全体として、上面１０２と、底面１０４と、ヒール１０６と、トウ１０８との間を伸びている。図２に図示したように、パターフェイス１１２は、実質的に平坦でかつ平面状とすることができる。図２に更に図示したように、パターフェイス１１２は、ボールが着座する僅かなへこみからグリーン表面の上までボールを持ち上げ得るようにロフトを付けることができる。パターフェイス１１２のロフト角度（全体として、静止ロフトと称する）が大きくなると、ボールに付与される揚力はより大きくなる。パターフェイス１１２は、かなりの角度の静止ロフトを有することができる。例えば、パターフェイス１１２のロフト角度は、約１°から約５°の範囲とすることができる。一部の実施の形態において、該パターフェイス１１２は、約３°のロフト角度を有している。図２を続けて参照すると、パターヘッド１００の下方の前縁１１４は、丸味を付けて、グリーン表面の周縁部にて使用されたとき、パターフェイス１１２が背の高い草を通って一層良く滑り、かつプレーコース中、パターフェイス１１２がグリーン表面に引っ掛かったり又は該グリーン表面を掴んだりする可能性を少なくすることができる。
【００１４】
[００２６]  図１を再度、参照すると、パターフェイス１１２は、溝パターン１１６を含む。該溝パターン１１６は、切込み、エッチング、成形又はその他の方法にてパターフェイス１１２に形成することができる。該溝パターン１１６は、パターヘッド１００の表面に直接、形成する（例えば、パターヘッドにフライス加工する）ことができ、又は、図１及び図３から図１１に図示したように、該溝パターン１１６は、パターヘッド１００に装着したパターフェイスの挿入体１１８に形成してもよい。図８に図示したように、パターヘッド１００は、パターヘッド１００の底面１０４にて開口し、挿入体１１８を受け入れるキャビティ１１９を規定することができる。挿入体１１８を底面１０４の開口内に挿入することにより、挿入体１１８がパターヘッド１００の本体よりも柔軟な材料にて出来ている実施の形態において、パターフェイス１１２の下側でボールを打ったとき、該挿入体１１８は、柔らかい感触を提供することができる。該挿入体１１８は、パッティングする間、ゴルファの集中力を失わせるであろう、パターヘッド１００の上面１０２を見えなくするようなことはない。図示しないが、キャビティ１１９は、パターヘッド１００の上面１０２にて開口し、又は上面１０２又は底面１０４のいずれにても開口しないようにしてもよい。該挿入体１１８は、図１、図３、図８に図示した台形の形状、又は、円錐形の形状、矩形の形状、又は任意のその他の形状にて形成することができる。
【００１５】
[００２７]  図１を続けて参照すると、溝パターン１１６は、全体として、パターヘッド１００のフェイス１１２に沿ってヒールからトウの方向に伸びている。該溝パターン１１６は、全体として、ボールと接触するパターフェイスの１１２の表面積を小さくし、これにより、ボールと接触したとき、パターヘッド１００に柔軟な感触を与えることにより、一般に、ドエル時間と称する、ボールがパターフェイス１１２と接触している時間を長くする。該溝パターン１１６は、図１に示したように、台形の周縁にて形成し、又は、円錐形の周縁、矩形の周縁又は任意のその他の形状の周縁にて形成してもよい。該溝パターン１１６は、例えば、図１に図示するように、パターフェイス１１２を部分的に横断して伸び、又は、ヒール１０６からトウ１０８迄、パターフェイス１１２の全体を横断して伸びるようにしてもよい。
【００１６】
[００２８]  図３及び図４を参照すると、該溝パターン１１６は、パターヘッド１００のヒールからトウ方向１１９に伸び、かつパターフェイス１１２の垂直方向１２１に向けて互いに隔てられた多数の組、領域又は帯域の異なる溝を含む。該溝パターン１１６は、パターヘッド１００とゴルフボールとの間の打撃角度の点にて比較的大きい誤差の余裕をゴルファに提供する形態とされており、このため、ボールは、ゴルファの一回のパットから別のパットまでのそのスイングの相違にかかわらず、ボールは、望む距離にてより真っ直ぐに進む。該溝パターン１１６は、全体として、パターフェイス１１２にてボールを上方及び下方に偏心状態にて打ったとき、ゴルフボールの前方への転がり又は回転を改良する。図３及び図４にて、パターフェイス１１２は、３組の溝を規定する。しかし、パターフェイス１１２は、２組み、３組み又はより多数の組の溝を含むことができることが理解されよう。
【００１７】
[００２９]  図３及び図４を続けて参照すると、パターフェイス１１２は、第一の組、領域又は帯域の溝１２０（以下に、限定することを意図せずに、便宜上、「第一の組の溝」と称する）と、第二の組、領域又は帯域の溝１２２（以下に、限定することを意図せずに、便宜上、「第二の組の溝」と称する）とを含む。これらの第一及び第二の組の溝１２０、１２２は、パターヘッド１００のヒールからトウ方向に伸びており、かつパターフェイス１１２の垂直方向１２１に向けて互いから隔てられている。パターフェイス１１２の垂直方向１２１は、パターヘッド１００のヒールからトウ方向１１９に対して全体として垂直に、かつパターフェイス１１２に対して全体として平行に向き決めされている。図３及び図４に示したように、該パターフェイス１１２は、パターヘッド１００のヒールからトウ方向に向けて伸びる第三の組、領域、帯域の溝１２６（（以下に、限定することを意図せずに、便宜上、「第三の組の溝」と称する）を含むことができる。該第三の組の溝１２６は、垂直方向１２１に向けて第一及び第二の組の溝１２０、１２２から隔てることができる。
【００１８】
[００３０]  図３及び図４を更に参照すると、第二の組の溝１２２は、第一の組の溝１２０と第三の組の溝１２６との間にて垂直方向に配置することができる。第一の組の溝１２０、第二の組の溝１２２及び第三の組の溝１２６は、パターフェイス１１２に沿って互いに平行に伸びることができる。第一の組の溝１２０は、パターヘッド１００の重心の全体として下方にてパターフェイス１１２の下方領域１３０内に配置することができる。第三の組の溝１２６は、パターヘッド１００の重心の全体として上方にてパターフェイス１１２の上方領域１３４内に配置することができる。第二の組の溝１２２は、パターヘッド１００の重心の全体として正面側にてパターフェイス１１２の中間領域１３２内に配置することができる。下方領域１３０は、パターフェイス１１２の下方の３分の１部分内にてパターヘッド１００の底面１０４の近くに配置し、上方領域１３４は、パターフェイス１１２の上方の３分の１部分内にてパターヘッド１００の上面１０２の近くに配置し、中間領域１３２は、パターフェイス１１２の中間の３分の１部分内にて下方領域１３０と上方領域１３４との間に配置することができる。
【００１９】
[００３１]  図５を参照すると、パターフェイス１１２の中間領域１３２の拡大断面図が示されている。該中間領域１３２は、図５に示したように、第二の組の溝１２２を含むことができる。第二の組の溝１２２は、パターヘッド１００がパターフェイス１１２の垂直方向中心及び／又はパターヘッド１００の重心の近くにてボールを打つとき、全体として、ゴルフボールと接触する。図５において、第二の組の溝１２２は、パターフェイス１１２に形成された５つの溝を含む。該第二の組の溝１２２は、５つより多く又は少ない数の溝を含むことができることが理解されよう。例えば、一部の実施の形態において、第二の組の溝１２２は、単一の溝を含む。一部の実施の形態において、第二の組の溝１２２は、２つ又はより多くの溝を含む。
【００２０】
[００３２]  図５を更に参照すると、第二の組の溝１２２の溝１３８の各々は、対称の断面形態又は形状を有することができる。図５において、一例としての実施の形態の溝１３８の各々は、上方すなわち第一の壁面１４０と、下方すなわち第二の壁面１４２とを含み、これらの壁面の各々は、パターヘッド１００内に内方に伸び、かつ溝１３８の底部に配置された実質的に平坦な面１４４により互いに接続されている、実質的に四角形の断面形態を有している。上方壁面１４０及び下方壁面１４２は、パターフェイス１１２及び実質的に平坦な面１４４に対して実質的に垂直に（例えば、９０°の角度にて）伸びることができる。一部の実施の形態において、上方壁面１４０及び下方壁面１４２は、パターヘッド１００内まで内方に伸びるとき、互いに向けて伸びることができる。一部の実施の形態において、上方壁面１４０及び下方壁面１４２は、約１０°のドラフト角度を有し、また、それぞれの溝１３８の各々の深さは、約０．３３８ｍｍ（０．０１５インチ）である。図５に示した溝１３８は、実質的に四角形の断面形態を有するが、一部の実施の形態において、該溝１３８は、上方壁面１４０及び下方壁面１４２がそれぞれの溝１３８の底部にて交差するＶ字形の断面形態又は平行四辺形の形態のような、その他の対称の断面形態を有することができる。
【００２１】
[００２３]  図５を続けて参照すると、第二の組の溝１２２の隣接する溝１３８は、パターフェイス１１２の中間面１４６により互いに分離させることができる。該中間面１４６は、平坦でかつパターフェイス１１２と面一とすることができる。上方壁面１４０とそれぞれの上方の隣接する中間面１４６が交差することは、上方すなわち第一の溝端縁１４８ａを形成し、下方壁面１４０とそれぞれの下方の隣接する中間面１４６が交差することは、溝１３８の各々に対する下方すなわち第二の溝端縁１４８ｂを形成する。上方及び下方溝端縁１４８ａ、１４８ｂは、全体として同一の角度又は鋭さを有する。上方壁面１４０、下方壁面１４２及び中間面１４６が交差することにより規定された、実質的に直角度（例えば、約７５から１０５°）により、上方及び下方溝端縁１４８ａ、１４８ｂを形成することができる。上方端縁１４８ａ及び下方端縁１４８ｂは、パターフェイス１１２と面一とすることができる。上方端縁１４８ａ及び下方端縁１４８ｂの間の距離は、全体として、溝１３８の各々の開口又は入口を規定し、該開口又は入口の寸法は、パターフェイス１１２の垂直方向１１９に向けたそれぞれの中間面１４６よりも大きい。
【００２２】
[００３４]  図９を参照すると、パターフェイス１１２の垂直方向中心及び／又はパターヘッド１００の重心近くにてゴルフボール１４９を打ったとき、中間面１４６は、全体として、溝端縁１４８ａ、１４８ｂにより発進角度をほとんど又は全く調節することを必要とせずに、ボール１４９の後側を打ち、それは、パターフェイス１１２の静止ロフト角度は、ボールに対して望む発進角度を付与し、ボール１４９が望む経路内にて前方に転がるようにし、パターフェイス１１２の静止ロフト角度は、ボール１４９を該ボールが安着するへこみから外に僅かに持ち上げるからである。パターヘッド１００の中間領域１３２にてボールを打つが、パターフェイス１１２は望む静止ロフト角度の前方又は後方にて角度が付けられる程度にて、上方及び下方溝端縁１４８ａ、１４８ｂの１つ又はより多くは、ボール１４９の外面と係合し、これによりボール１４９の発進角度を変更し、ボール１４９に対するパターフェイス１１２の整合外れに反作用し、その結果、パッティングパフォーマンが改良されることになる。発進角度は、ゴルフボールがパターフェイス１１２と接触した後、空中に投げ出されるときの角度であり、全体として、ゴルフボールの飛行経路と水平面又は地面の平面との間にて測定される。動的ロフト角度及び静止ロフト角度の双方は、発進角度に影響を与える。動的ロフト角度は、全体として、静止ロフト角度と、シャフトの傾きと、ゴルファがスイングし、かつボールにアドレスするときのクラブヘッドの経路との組合わせである。静止ロフト角度は、全体として、パターフェイスが位置する平面により規定される。その他の多数のファクタもまた、発進角度に影響を与える。
【００２３】
[００３５]  図６を参照すると、パターフェイスヘッド１１２の下方領域１３０の拡大断面図が示されている。該下方領域１３０は、図６に示したように、第一の組の溝１２０を含むことができる。該第一の組の溝１２２は、全体として、パターヘッド１００がパターフェイス１１２の垂直方向中心及び／又はパターヘッド１００の重心の下方にてボールを打つとき、ゴルフボールと接触する。図６において、第一の組の溝１２０は、パターフェイス１１２に形成された４つの溝を含む。第一の組の溝１２０は、４つより多くの又は少ない数の溝を含むことができることを理解すべきである。例えば、一部の実施形態において、第一の組の溝１２０は、単一の溝を含む。一部の形態において、第一の組の溝１２０は、２つ又はより多数の溝を含む。
【００２４】
[００３６]  図５及び図６を参照すると、第一の組の溝１２０及び第二の組の溝１２２は、異なる断面形態を有している。特に、図６を参照すると、第一の組の溝１２０の溝１５０の各々は、非対称の断面形態又は形状を有している。図６において、一例としての実施の形態の溝１５０の各々は、パターヘッド１００内まで上方に伸びている。溝１５０の各々は、下方すなわち第一の壁面１５２と、上方すなわち第二の壁面１５４とにより規定することができる。該下方壁面１５２は、パターフェイス１１２に対する第一の角度α１にて上方にかつパターヘッド１００内に内方に伸びることができ、また、上方壁面１５４は、第一の角度α１よりも大きい、パターフェイス１１２に対する第二の角度α２にてパターヘッド１００内に内方に伸びることができる。該上方壁面１５４は、第二の角度α２にてパターヘッド１００内に下方に伸びることができる。一部の実施の形態において、第一の角度α１は、約２０°であり、第二の角度α２は、約８０°であるが、その他の角度とすることも考えられる。下方及び上方壁面１５２、１５４は、パターヘッド１００内に内方に伸びるとき、互いに向けて伸びることができ、また、それぞれの溝１５０の底部１５５にて交差することができる。
【００２５】
[００３７]  図６を続けて参照すると、第一の組の溝１２０の隣接する溝１５０は、中間面１５６により互いに分離させることができる。該中間面１５６は、平坦としかつパターフェイス１１２と面一とすることができる。上方壁面１５４とそれぞれの上方の隣接する中間面１５６との交差は、上方すなわち第一の溝端縁１５８ａを形成することができ、また、下方壁面１５２とそれぞれの下方の隣接する中間面１５６との交差は、溝１５０の各々に対する下方すなわち第二の溝端縁１５８ｂを形成することができる。該上方溝端縁１５８ａは、上方壁面１５４及び下方壁面１５２のそれぞれの異なる角度α２、α１に基づいて下方溝端縁１５８ｂよりも鋭い（例えば、鋭角な角度を有する）。上方溝端縁１５８ａは、上方壁面１５４と中間面１５６との交差により規定された、実質的に直角の角度（例えば、約７５°から１０５°の角度）により形成することができる一方、下方溝端縁１５８ｂは、下方壁面１５２と中間面１５６との交差より規定された実質的に鈍角な角度（すなわち、９０°以上の角度）により形成することができる。上方及び下方端縁１５８ａ、１５８ｂは、パターフェイス１１２と面一とすることができる。上方端縁１５８ａと下方端縁１５８ｂとの間の距離は、全体として、溝１５０の各々の開口又は入口を規定し、該開口又は入口の寸法は、パターフェイス１１２の垂直方向１１９に向けたそれぞれの中間面１５６よりも大きい。
【００２６】
[００３８]  一般に、パターフェイスの垂直方向中心及び／又はパターヘッドの重心の下方にてゴルフボールを打ったとき、シャフト及びパターフェイスは、典型的に、後方に傾き、より大きいロフトが打撃点に作用するようにする。この増大したロフトのため、典型的に、ボールは、望むよりも高く発進され、距離及び正確さが低下することになる。図６及び図１０を参照すると、第一の組の溝１２０は、この望まないロフト角度を調節して、パターのパフォーマンスを改良する。パターフェイス１１２が後方に傾き、パターフェイス１１２の下方領域１２０がゴルフボール１４９を打ったとき、上方及び下方溝端縁１５８ａ、１５８ｂの１つ又はより多くはボール１４９の外面と係合する。下方溝端縁１５８ｂに対する上方溝端縁１５８ａのより鋭角な角度は、ボール１４９の発進角度を小さくし、これによりボールを空中に発進することなく、ボールをグリーン表面の上部まで持ち上げ、その結果、跳ね上げ及びパックスピンが減少し、かつパッティングパファーマンが改良される。
【００２７】
[００３９]  図７を参照すると、パターフェイス１１２の上方領域１３４の拡大断面図が示されている。図７に示したように、上方領域１３４は、第三の組の溝１２６を含むことができる。該第三の組の溝１２６は、パターヘッド１００がパターフェイス１１２の垂直方向中心及び／又はパターヘッド１００の重心の上方にてボールを打ったとき、全体として、ゴルフボールと接触する。図７において、第三の組の溝１２６は、パターフェイス１１２に形成された４つの溝を含む。第三の組の溝１２６は、より多く又は少ない数の溝を含むことができることを理解すべきである。例えば、一部の実施の形態において、該第三の組の溝１２６は、単一の溝を含む。一部の形態において、第三の組の溝１２６は、２つ又はより多くの溝を含む。
【００２８】
[００４０]  図５及び図７を参照すると、第二及び第三の組の溝１２２、１２６は、異なる断面形態を有する。図４−７を参照すると、第一及び第三の組の溝１２０、１２６は、パターヘッド１００のソール１０４に対して平行に向き決めされた平面の周りにて対称であり、該平面は、ヒールからトウ方向１１９に伸びて、かつ第二の組の溝１２２を二等分する。図７を特に参照すると、第三の組の溝１２６の溝１６０の各々は、非対称の断面形態又は形状を有している。図７において、一例としての実施の形態の溝１６０の各々は、パターヘッド１００内まで下方に伸びている。溝１６０の各々は、上方すなわち第一の壁面１６２と、下方すなわち第二の壁面１６４とにより規定することができる。該上方壁面１６２は、パターフェイス１１２に対して第一の角度α３にて下方にかつ内方にパターヘッド１００内に伸び、また、下方壁面１６４は、第一の角度α３よりも大きい、パターフェイス１１２に対する第二の角度α４にてパターヘッド１００内に内方に伸びることができる。該下方壁面１６４は、第二の角度α４にてパターヘッド１００内に上方に伸びることができる。一部の実施の形態において、第一の角度α３は、約２０°であり、第二の角度α４は、約８０°であるが、その他の角度とすることが考えられる。上方壁面及び下方壁面１６２、１６４は、パターヘッド１００内に内方に伸びるとき、互いに向けて伸びることができ、また、それぞれの溝１６０の底部１６５にて交差することができる。
【００２９】
[００４１]  図７を続けて参照すると、第三の組の溝１２６の隣接する溝１６０は、中間面１６６により互いに分離させることができる。該中間面１６６は、平坦でかつパターフェイス１６６と面一であるようにすることができる。上方壁面１６２とそれぞれの上方に隣接する中間面１６６とが交差することは、上方すなわち第一の溝端縁１６８ａを形成し、下方壁面１６４とそれぞれの下方に隣接する中間面１６６とが交差することは、溝１６６の各々に対して下方すなわち第二の溝端縁１６８ｂを形成することができる。下方溝端縁１６８ｂは、下方及び上方壁面１６４、１６２のそれぞれの異なる角度α４、α３に基づいて、上方溝端縁１６８ａよりも鋭い（例えば、より鋭角な角度を有する）。上方溝端縁１６８ａは、上方壁面１６２と中間面１６６とが交差することにより規定された実質的に鈍角な角度（例えば、９０°より大きい）により形成することができる一方、下方溝端縁１６８ｂは、下方壁面１６４と中間面１６６とが交差することにより規定された実質的に直角の角度（例えば、約７５°から１０５°）により形成することができる。上方端縁及び下方端縁１６８ａ、１６８ｂは、パターフェイス１１２と面一とすることができる。上方端縁及び下方端縁１６８ａ、１６８ｂの間の距離は、全体として、パターフェイス１１２の垂直方向に向けたそれぞれの中間面１６６の寸法よりも大きくすることのできる、溝１６０の各々の開口又は入口を全体として規定する。
【００３０】
[００４２]  一般に、パターフェイスの垂直方向中心及び／又はパターヘッドの重心の上方にてゴルフボールを打ったとき、シャフト及びパターフェイスは、典型的に、前方に傾き、ボールの打撃点にて減少したロフトが作用するようにする。この減少したロフトのため、典型的に、ボールは地面内に発進され、その結果、距離及び正確さが低下する。図７及び図１１を参照すると、第三の組の溝１２６は、この望ましくないロフト角度を調節し、パターパファーマンスを改良する。パターフェイス１１２が前方に傾き、パターフェイス１１２の上方領域１２６がゴルフボール１４９を打撃したとき、上方及び下方溝領域１５６ａ、１５６ｂの１つ又はより多くは、ボール１４９の外面と係合する。上方溝端縁１６８ａに対する下方溝端縁１６８ａの鋭角な角度は、ボール１４９の発進角度を大きくし、これによりボールを地面内に押し込むのではなく、ボールをグリーン表面の上部まで持ち上げ、その結果、パターパフォーマンスは改良される。
【００３１】
[００４３]  図１−図１２を参照すると、パターヘッド１００は、金属材料、非金属材料又は両者の組合わせを含む、各種の材料にて形成することができる。一部の実施の形態において、パターヘッド１００は、鍛造鋼である、３０３及び／又は３０４ステンレス鋼のようなステンレス鋼材料にて形成されており、該ステンレス鋼材料は、材料の密度のため、打撃点にてより柔らかい感触を提供する。図１及び図３−１１を参照すると、パターヘッド１００がパターフェイス挿入体１１８を含む場合、該挿入体１１８は、例えば、ポリマーにて形成することができる。ゴルファは、全体として、より柔らかい感触のパターを好み、ポリマー挿入体は、鋼製のフェイス挿入体よりもはるかに柔軟なデュロメータ硬さの測定値を有する。ポリマー挿入体のより柔軟なデュロメータ硬さの測定値は、ボールのドエル時間を長くし、ボールとパターフェイス１１２との間の摩擦を増加させ、これにより、ボールがいかに迅速にかつ均一に前方への回転を開始するかにより測定されるボールの転がり及び発進状態を改良することになる。一部の実施の形態において、挿入体１１８は、製造が容易なポリウレタンにて形成することができ、該ポリウレタンは、パターの感触に影響を与える、挿入体１１８の異なる硬さファクタを製造メーカが選ぶことを許容する。
【００３２】
[００４４]  一部の溝パターンの形態において、第一及び第三の組の溝１２０、１２６は、第二の組の溝１２２内に徐々に遷移することができる。例えば、第一及び第三の組の溝１２０、１２６の非対称の断面形態は、１つ又はより多くの実質的に四角形の溝を含むことのできる、第二の組の溝１２２の対称な断面形態に徐々に遷移することができる。換言すれば、第一及び第三の組の溝１２０、１２６の断面形態は、これらの溝が第二の組の溝１２２にアプローチするとき、徐々により対称的となり、このため、第一及び第三の組の溝１２０、１２６は、第二の組の溝１２２内に徐々に遷移する。第一及び第三の組の溝１２０、１２６が第二の組の溝１２２内に徐々に遷移することにより、溝パターン１１６は、パターフェイス１１２の垂直方向１１９に沿って連続的に変化する発進角度の調節を行う。
【００３３】
[００４５]  それぞれ図１２及び図１３に示した溝パターン２１６、３１６を除いて、図１２及び図１３に示したパターヘッド２００、３００は、図１−図１１に示したパターヘッド１００と同一の特徴及び機能を備えている。従って、パターヘッド１００の特徴及び機能に関する上記の説明は、図１２及び図１３に示したパターヘッド２００、３００にも等しく当て嵌まるが、溝パターン２１６、３１６に関して以下に説明する点は除く。
【００３４】
[００４６]  図１２を参照すると、溝パターン２１６は、第一の組、領域又は帯域の溝２２０（以下にて、限定することを意図することなく、便宜上、「第一の組の溝」と称する）と、第二の組、領域又は帯域の溝２２２（以下にて、限定することを意図することなく、便宜上、「第二の組の溝」と称する）と、第三の組、領域又は帯域の溝２２６（以下にて、限定することを意図することなく、便宜上、「第三の組の溝」と称する）とを含む。図１２において、第一の組の溝２２０は、パターフェイス２１２に形成された７つの溝を含み、第二の組の溝２２２は、パターフェイス２１２に形成された単一の溝を含み、第三の組の溝２２６は、パターフェイス２１２に形成された７つの溝を含む。第一の組の溝２２０、第二の組の溝２２２及び第三の組の溝２２６は、図１２に示した溝よりも多くの又は少ない数の溝を含むことが可能であることを理解すべきである。第一の組の溝２２０は、パターフェイス２１２からパターヘッド２００内に傾斜を付けて伸び、第三の組の溝２２６は、パターフェイス２１２からパターヘッド２００内に下方傾斜を付けて伸びることができる。該溝パターン２１６は、パターフェイス２１２の垂直方向外形部に沿って第一の組の溝２２０及び第三の組の溝２２６内にて溝角度のピッチが徐々に変化するようにしてもよい。第一の組の溝２２０及び第三の組の溝２２６内の溝の各々は、独自のピッチを有することができる。パターフェイス２１２の垂直外形部に沿った第一の組の溝２２０及び第三の組の溝２２６内にて隣接する溝のピッチは、約５°のようなΔ量だけ相違するようにしてもよい。該Δ量は、パターに依存して、変更可能である。
【００３５】
[００４７]  図１２を更に参照すると、第一の組の溝２２０の溝２５０の各々は、非対称の断面形態又は形状を有することができる。図１２において、溝２５０の各々は、パターヘッド２００内に上方に伸びることができる。溝２５０の各々は、下方すなわち第一の壁面２５２と、上方すなわち第二の壁面２５４とにより規定することができ、該壁面は、互いに交差してそれぞれの溝２５０の底部又は頂部２５５を規定する。下方壁面２５２は、パターフェイス２１２からパター２００内に傾斜角度又はピッチにて伸びることができ、また、上方壁面２５４は、パターフェイス２１２に対して実質的に垂直に、パターヘッド２００内に伸びることができる。第一の組の溝２２０は、パターフェイス２１２の垂直方向外形部に沿って下方壁面２５２の傾斜角度及びピッチの点にて徐々に変化する一方、上方壁面２５４の角度又はピッチは、実質的に同一とすることができる。換言すれば、下方壁面２５２の各々は、隣接する下方壁面２５２からΔ量だけ相違する独自のピッチを有することができる。一部の配置において、隣接する下方壁面２５２のピッチは、約５°のΔ量だけ相違するようにしてもよい。該Δ量は、パターに依存して、変更可能である。図１２において、第一の組の溝２５０ａの最下方溝２５０ａは、第一の傾斜ピッチを有する下方壁面２５２ａを含み、第一の組の溝２２０の最上方溝２５０ｂは、第一の傾斜ピッチよりも小さい第二の傾斜ピッチを有する下方壁面２５２ｂを含み、最下方溝２５０ａと最上方溝２５０ｂとの間に配置された溝２５０の下方壁面２５２は、パターフェイス２１２の垂直方向外形部に沿って最下方溝２５０ａから最上方溝２５０ｂまでその傾斜したピッチが徐々に減少する。
【００３６】
[００４８]  図１２を更に参照すると、第三の組の溝２２６の溝２６０の各々は、非対称の断面形態又は形状を有することができる。図１２において、第三の組の溝２２６の溝２６０の各々は、パターヘッド２００内に下方に伸びることができる。溝２００の各々は、上方すなわち第一の壁面２６２と、下方すなわち第二の壁面２６４とにより規定することができ、これらの壁面は、互いに交差して、それぞれの溝２６０の底部又は頂部２６５を規定することができる。該上方壁面２６２は、パターフェイス２１２からパターヘッド２００内に下降角度又はピッチにて伸びることができ、また、下方壁面２６４は、パターフェイス２１２に対して実質的な垂直にパターヘッド２００内に伸びることができる。第三の組の溝２２６は、パターフェイス２１２の垂直方向外形部に沿って上方壁面２６２の下降角度又はピッチが徐々に変化する一方、下方壁面２６４の角度又はピッチは、実質的に同一とすることができる。換言すれば、上方壁面２６２の各々は、隣接する上方壁面２６２からΔ量だけ相違する独自のピッチを有することができる。一部の配置において、隣接する上方壁面２６２のピッチは、約５°のΔ量だけ相違するようにしてもよい。該Δ量は、パターに依存して変更可能である。図１２において、第三の組の溝２２６の最下方溝２６０ａは、第一の下降ピッチを有する上方壁面２６２ａを含み、最上方溝２６０ｂは、第一の下降ピッチよりも大きい第二の下方ピッチを有する上方壁面２６２ｂを含み、最下方溝２６０ａと最上方溝２６０ｂとの間に配置された溝２６０の上方壁面２６２は、パターフェイス２１２の垂直方向外形部に沿って最下方溝２６０ａから最上方溝２６０ｂまでその下降ピッチが徐々に増加する。
【００３７】
[００４９]  図１２を続けて参照すると、第二の組の溝２２２は、全体として、パターヘッド２００の垂直方向重心（質量中心）の近くにてパターフェイス２１２の中心に配置されており、この位置において、ボールを打つ状態は理想的である。図１２において、第二の組の溝２２２内に単一の溝２３８が含まれているが、第二の組の溝内に１つ又はより多くの数の溝を含めることができる。第二の組の溝２２２の１つ又はより多くの溝は、パターフェイス２１２の中心の近くに配置し、また、図１２に示したように、パターフェイス２１２に対して実質的に垂直に向き決めした上方及び下方壁面を含むことができる。該上方及び下方壁面は、図１２に示したように、それぞれの溝の底部に配置され、かつパターフェイス２１２に対して実質的に平行に向き決めした実質的に平坦な面により互いに接続することができる。
【００３８】
[００５０]  図１３を参照すると、溝パターン３１６は、第一の組、領域又は帯域の溝３２０（以下にて、限定することを意図することなく、便宜上、「第一の組の溝」と称する）と、第二の組、領域又は帯域の溝３２２（以下にて、限定することを意図することなく、便宜上、「第二の組の溝」と称する）と、第三の組、領域又は帯域の溝３２６（以下にて、限定することを意図することなく、便宜上、「第三の組の溝」と称する）とを含む。図１３において、第一の組の溝３２０は、パターフェイス３１２に形成された７つの溝を含み、第二の組の溝３２２は、パターフェイス３１２に形成された単一の溝を含み、第三の組の溝３２６は、パターフェイス３１２に形成された７つの溝を含む。第一の組の溝３２０、第二の組の溝３２２及び第三の組の溝３２６は、図１２に示した溝よりも多くの又は少ない数の溝を含むことが可能であることを理解すべきである。第一の組の溝３２０は、パターフェイス３１２からパターヘッド３００内に傾斜を付けて伸び、第三の組の溝３２６は、パターフェイス３１２からパターヘッド３００内に下方傾斜を付けて伸びることができる。該溝パターン３１６は、パターフェイス３１２の垂直方向外形部に沿って第一の組の溝３２０及び第三の組の溝３２６内にて溝角度のピッチが徐々に変化するようにすることができる。第一の組の溝３２０及び第三の組の溝３２６内の溝の各々は、独自のピッチを有するようにしてもよい。パターフェイス３１２の垂直方向外形部に沿った第一の組の溝３２０及び第三の組の溝３２６内の隣接する溝のピッチは、約５°のΔ量だけ相違するようにしてもよい。該Δ量は、パターに依存して、変更可能である。
【００３９】
[００５１]  図１３を更に参照すると、第一の組の溝３２０の溝３５０の各々は、非対称の断面形態又は形状を有することができる。図１３において、溝３５０の各々は、パターヘッド３００内に上方に伸びることができる。溝３５０の各々は、下方すなわち第一の壁面３６２と、上方すなわち第二の壁面３６４とにより規定し、これらの壁面は、互いに交差してそれぞれの溝３６０の底部又は頂部を規定することができる。下方壁面３５２は、パター面３１２からパターヘッド３００内まで傾斜角度又はピッチにて伸び、また、上方壁面３５４は、パターフェイス３１２に対して実質的に垂直にパターヘッド３００内に伸びることができる。第一の組の溝３２０は、パターフェイス３１２の垂直方向外形部に沿って下方壁面３５２の傾斜角度又はピッチが徐々に変化する一方、上方壁面３５４の角度又はピッチは、実質的に同一であるようにすることができる。換言すれば、下方壁面３５２の各々は、隣接する下方壁面３５２からΔ量だけ相違する独自のピッチを有するようにしてもよい。一部の配置において、隣接する下方壁面３５２のピッチは、約５°Δ量だけ相違するようにしてもよい。該Δ量は、パターに依存して、変更可能である。図１３において、第一の組の溝３２０の最下方溝３５０ｂは、第一の傾斜ピッチを有する下方壁面３５２ａを含み、第一の組の溝３２０の最上方溝３５０ａは、第一の傾斜ピッチよりも大きい第二の傾斜ピッチを有する下方壁面３５２ｂを含み、最下方溝３５０ａと最上方溝３５０ｂとの間に配置された溝３５０の下方壁面３５２は、パターフェイス３１２の垂直方向外形部に沿って最下方溝３５０ａから最上方溝３５０ｂまでその傾斜したピッチが徐々に増加する。
【００４０】
[００５２]  図１３を続けて参照すると、第三の組の溝３２６の溝３６０の各々は、非対称の断面形態又は形状を有することができる。図１３において、第三の組の溝３２６の溝３６０の各々は、パターヘッド３００内に下方に伸びることができる。溝３６０の各々は、上方すなわち第一の壁面３６２と、下方すなわち第二の壁面３６４とにより規定し、これらの壁面は、互いに交差してそれぞれの溝３６０の底部又は頂部を規定することができる。上方壁面３６２は、パター面３１２からパターヘッド３００内まで下降角度又はピッチにて伸び、また、下方壁面３６４は、パターフェイス３１２に対して実質的に垂直にパターヘッド３００内に伸びることができる。第三の組の溝３２６は、パターフェイス３１２の垂直方向外形部に沿って上方壁面３６２の下降角度又はピッチが徐々に変化する一方、下方壁面３６４の角度又はピッチは、実質的に同一であるようにしてもよい。換言すれば、上方壁面３６２の各々は、隣接する上方壁面３６２からΔ量だけ相違する独自のピッチを有するようにしてもよい。一部の配置において、隣接する上方壁面３６２のピッチは、約５°Δ量だけ相違するようにすることができる。該Δ量は、パターに依存して、変更可能である。図１３において、第三の組の溝３２６の最下方溝３６０ａは、第一の下降ピッチを有する上方壁面３６２ａを含み、最上方溝３６０ｂは、第一の下降ピッチよりも小さい第二の下降ピッチを有する上方壁面３６２ｂを含み、最下方溝３６０ａと最上方溝３６０ｂとの間に配置された溝３６０の上方壁面３６２は、パターフェイス３１２の垂直方向外形部に沿って最下方溝３６０ａから最上方溝３６０ｂまでその下降ピッチが徐々に減少する。
【００４１】
[００５３]  図１３を続けて参照すると、第二の組の溝３２２は、全体として、パターヘッド３００の垂直方向重心（質量中心）の近くにてパターフェイス３１２の中心に配置されており、この位置において、ボールを打つ状態は理想的である。図１３において、第二の組の溝３２２内に単一の溝３３８が含まれているが、第二の組の溝３２２内に１つ又はより多くの数の溝を含めることができる。第二の組の溝３２２の１つ又はより多くの溝は、パターフェイス３１２の中心の近くに配置し、また、図１３に示したように、パターフェイス３１２に対して実質的に垂直に向き決めした上方及び下方壁面を含むことができる。該上方及び下方壁面は、図１３に示したように、それぞれの溝の底部に配置され、かつパターフェイス３１２に対して実質的に平行に向き決めした実質的に平坦な面により互いに接続することができる。
【００４２】
[００５４]  図１２及び図１３を参照すると、それぞれの溝のピッチ又はピッチ角度がパターフェイス２１２、３１２の垂直方向外形に沿って変化するため、第一の組の溝２２０、３２０及び第三の組の溝２２６、３２６内の溝の深さは、パターフェイス２１２、３１２の垂直方向外形に沿って変化することができる。図１２の溝パターン２１６は、第二の組の溝２２２に隣接かるパターフェイス２１２の中心近くにて第一の組の溝２２０及び第三の組の溝２２６内にてより深い溝を含む。これに反して、図１３の溝パターン３１６は、第二の組の溝３２２の末端側にてパターフェイス３１２の上部及び底部近くにて第一の組の溝３２０及び第三の組の溝３２６内のより深い溝を含む。
【００４３】
[００５５]  図１２及び図１３を続けて参照すると、パターフェイス２１２、３１２の垂直方向外形に沿って溝パターン２１６、３１６のピッチがそれぞれ徐々に変化することは、溝の端縁がボールの表面と相互作用する程度に影響を与える。ボールの転がり性能に影響を与えるために必要とされる相互作用の程度は、ボールを打つ位置がパターヘッドの質量中心に近ければ近いほど低下し、それは、上述したように、ボールを打つ位置がパターヘッドの質量中心の近くであるとき、ボールは、全体として、パターフェイスの静止ロフトに基づいて効率的な仕方にて前方への転がりを実現するからである。該溝パターン２１６、３１６は、全体として、ボールを打つ位置がパターヘッド２００、３００のフェイス２１２、３１２に沿っていかに偏奇しているかに依存して、調節された溝効果を作り出す。ボールを打つ位置がパターヘッド２００、３００のフェイス２１２、３１２に沿って垂直方向に偏奇していればいるほど、溝パターン２１６、３１６がボールに与える影響は増して、ボールの質量中心がパターの質量中心と非整合状態となる程度を補償し得るようにする。
【００４４】
[００５６]  上記の説明は、広く妥当するものである。本明細書にて開示した着想は、本明細書にて記載し且つ図示したパターに加えて、多数の異なる様式及び型式のパターに適用可能である。任意の実施の形態の説明は、単に一例であり、請求の範囲を含んで、本発明の範囲をこれらの実施の形態に限定することを意図するものではない。換言すれば、本発明の一例としての実施の形態は、本明細書にて詳細に説明したが、本発明の着想は、その他の各種の形態にて実施し、かつ採用することができ、添付した請求の範囲は、先行技術により限定される場合を除いて、かかる変更例を包含するものであることを理解すべきである。
【００４５】
[００５７]  上記の記述は、説明の目的のためにのみ記載したものであり、本発明を本明細にて開示した形態に限定することを意図するものではない。例えば、上記の説明は、第一、第二及び第三の組の溝に言及している。第一、第二及び第三という識別語は、便宜の目的のため、上記の説明にて１つの組の溝を別の組のものと識別するために使用したものである。以下の請求の範囲において、第一、第二及び第三という識別語は、上記に説明した組みの溝の任意の１つを特定するために使用するものである。別の例として、本開示を簡略化するため、本発明の各種の特徴を１つ又はより多くの局面、実施の形態又は形態の点にてグループ化した。しかし、本発明の特定の局面、実施の形態又は形態の各種の特徴は、代替的な局面、実施の形態又は形態にて組み合わせることが可能であることを理解すべきである。更に、以下の請求の範囲は、その内容の全体を参考として引用し、本明細書に含めてあり、請求項の各々は、本発明の別個の実施の形態としてそれ自体、独立するものである。
【００４６】
[００５８]  本明細書にて使用した、「少なくとも１つ」、「１つ又はより多くの」及び「及び／又は」という語句は、接続詞及び離接的接続詞の双方の意味の開放的な表現である。本明細書にて使用した単数の物の語句は、その物の１つ又はより多くを意味するものである。従って、「単数」、「１つ又はより多くの」及び「少なくとも１つ」という語句は、互換可能に使用することができる。全ての方向の表現（例えば、基端側、末端側、上方、下方、上側、下側、左側、右側、横方向、長手方向、前側、後側、上部、底部、上、下、水平方向、半径方向、軸方向、時計回り、反時計回り）は、本発明の理解を促進する識別の目的のためにのみ使用したものであり、特に、本発明の位置、向き又は用途に関して限定を付するものではない。接続の言及（例えば、装着した、結合した、接続した、接合した）は、広義に解釈されるべきであり、要素の一つの集合体の間の中間的部材及び別段の記載がない限り、要素間の相対的な動きを含むものである。従って、接続の言及は、必ずしも、２つの要素が直接的に接続されたこと、及び互いに固定された状態にあることを意味するものではない。識別の言及（例えば、主要な、二次的な、第一の、第二の、第三の、第四の等）は、重要性又は優先順位を意味するものではなく、１つの特徴を別のものから識別するために使用したものである。図面は図示する目的のためにのみ掲げたものであり、添付した図面における寸法、位置、順序及び相対的な寸法は変更が可能である。
【図１】
2017080378.tif 000003
【図２】
2017080378.tif 000004
【図３】
2017080378.tif 000005
【図４】
2017080378.tif 000006
【図５】
2017080378.tif 000007
【図６】
2017080378.tif 000008
【図７】
2017080378.tif 000009
【図８】
2017080378.tif 000010
【図９】
2017080378.tif 000011
【図１０】
2017080378.tif 000012
【図１１】
2017080378.tif 000013
【図１２】
2017080378.tif 000014
【図１３】
2017080378.tif 000015
【外国語明細書】
2017080378000001.pdf